(57)【要約】【課題】ＤＶＤ−ＶＲ規格のデータ構造そのものを利用して停電からの復帰処理を可能とし、また停電前に録画された映像データをできるだけ多く救出できるようにする。【解決手段】ＤＶＤレコーダ１はＤＶＤ−ＶＲ規格に準拠する記録処理及び再生処理を行う。ＤＶＤレコーダ１はＶＯＢＵ情報のＲＤＩ＿ＰＣＫの製造者固有情報書き込み領域に、ＶＯＢＵ＿ＥＮＴと共にタイトルＩＤを書き込む。停電後の復電時にはバックアップされた録画管理情報より知り得るＶＯＢＵ情報の中で最後のものを特定してＶＯＢの「仮終端」とし、それに連続する、それよりも新しいデータからＲＤＩ＿ＰＣＫを読み出し、その中からさらにＶＯＢＵ＿ＥＮＴを取り出し、録画管理情報を更新する。ＲＤＩ＿ＰＣＫを読み出したＶＯＢＵ情報が完全なサイズであればこれを終端とするように「仮終端」を更新する。【選択図】図５
2007208493.tif 000002
【特許請求の範囲】
【請求項１】
ＤＶＤ−ＶＲ規格に準拠する記録処理及び再生処理を行うＤＶＤレコーダであって、録画時に停電に遭遇したときの対策として以下のステップを遂行することを特徴とするＤＶＤレコーダ：
ａ．ＶＯＢＵ情報のＲＤＩ＿ＰＣＫの製造者固有情報書き込み領域に、ＶＯＢＵ＿ＥＮＴと、タイトルＩＤとを書き込むステップ
ｂ．ＶＯＢＵ＿ＥＮＴ及びＴＭ＿ＥＮＴを含む録画管理情報を所定時間間隔でバックアップ記録装置に記録するステップ
ｃ．停電後の復電時、前記バックアップされた録画管理情報より知り得るＶＯＢＵ情報の中で最後のものを特定してＶＯＢの「仮終端」とするステップ
ｄ．ストリームデータの中から、「ｃ．」の「仮終端」のＶＯＢＵ情報に連続する、それより新しいデータを、少なくともＲＤＩ＿ＰＣＫを含むデータ量だけ読み出すステップ
ｅ．「ｄ．」で読み出したデータの中にＲＤＩ＿ＰＣＫが存在するかどうかを調べるステップ
ｆ．「ｅ．」で存在を確認したＲＤＩ＿ＰＣＫの中のタイトルＩＤが停電時の録画タイトルＩＤと一致するかどうかを調べるステップ
ｇ．「ｆ．」でタイトルＩＤの一致をみた場合、ＲＤＩ＿ＰＣＫよりＶＯＢＵ＿ＥＮＴを取り出し、録画管理情報を更新するステップ
ｈ．「ｆ．」でタイトルＩＤの一致をみた場合、このＲＤＩ＿ＰＣＫを含むＶＯＢＵ情報が完全なサイズであるかどうかを調べるステップ
ｉ．「ｈ．」で完全なサイズと確認したＶＯＢＵ情報を終端とするように前記「仮終端」を更新するステップ
ｊ．「ｄ．」から「ｉ．」までのステップを、ＶＯＢＵ情報が完全な形をしていないために「ｅ．」以降のステップに進めなくなるまで繰り返すステップ。
【請求項２】
ＤＶＤ−ＶＲ規格に準拠する記録処理及び再生処理を行うＤＶＤレコーダにおいて、
ＶＯＢＵ情報のＲＤＩ＿ＰＣＫの製造者固有情報書き込み領域に、ＶＯＢＵ＿ＥＮＴと共にタイトルＩＤを書き込むことを特徴とするＤＶＤレコーダ。
【請求項３】
ＤＶＤ−ＶＲ規格に準拠する記録処理及び再生処理を行う映像記録再生装置であって、録画時に停電に遭遇したときの対策として以下のステップを遂行することを特徴とする映像記録再生装置：
ａ．ＶＯＢＵ情報のＲＤＩ＿ＰＣＫの製造者固有情報書き込み領域に、ＶＯＢＵ＿ＥＮＴと、タイトルＩＤとを書き込むステップ
ｂ．ＶＯＢＵ＿ＥＮＴ及びＴＭ＿ＥＮＴを含む録画管理情報を所定時間間隔でバックアップ記録装置に記録するステップ
ｃ．停電後の復電時、前記バックアップされた録画管理情報より知り得るＶＯＢＵ情報の中で最後のものを特定してＶＯＢの「仮終端」とするステップ
ｄ．ストリームデータの中から、「ｃ．」の「仮終端」のＶＯＢＵ情報に連続する、それより新しいデータを、少なくともＲＤＩ＿ＰＣＫを含むデータ量だけ読み出すステップ
ｅ．「ｄ．」で読み出したデータの中にＲＤＩ＿ＰＣＫが存在するかどうかを調べるステップ
ｆ．「ｅ．」で存在を確認したＲＤＩ＿ＰＣＫの中のタイトルＩＤが停電時の録画タイトルＩＤと一致するかどうかを調べるステップ
ｇ．「ｆ．」でタイトルＩＤの一致をみた場合、ＲＤＩ＿ＰＣＫよりＶＯＢＵ＿ＥＮＴを取り出し、録画管理情報を更新するステップ
ｈ．「ｆ．」でタイトルＩＤの一致をみた場合、このＲＤＩ＿ＰＣＫを含むＶＯＢＵ情報が完全なサイズであるかどうかを調べるステップ
ｉ．「ｈ．」で完全なサイズと確認したＶＯＢＵ情報を終端とするように前記「仮終端」を更新するステップ
ｊ．「ｄ．」から「ｉ．」までのステップを、ＶＯＢＵ情報が完全な形をしていないために「ｅ．」以降のステップに進めなくなるまで繰り返すステップ。
【請求項４】
ＤＶＤ−ＶＲ規格に準拠する記録処理及び再生処理を行う映像記録再生装置において、
ＶＯＢＵ情報のＲＤＩ＿ＰＣＫの製造者固有情報書き込み領域にＶＯＢＵ＿ＥＮＴを書き込むことを特徴とする映像記録再生装置。
【請求項５】
ＶＯＢＵ情報のＲＤＩ＿ＰＣＫの製造者固有情報書き込み領域に、ＶＯＢＵ＿ＥＮＴと共にタイトルＩＤを書き込むことを特徴とする請求項４に記載の映像記録再生装置。
【発明の詳細な説明】
【技術分野】
【０００１】
本発明はＤＶＤ−ＶＲ規格に準拠する記録処理及び再生処理を行う映像記録再生装置、特にＤＶＤレコーダに関する。
【背景技術】
【０００２】
映像の記録媒体として用いられるＤＶＤ（Digital Versatile Disk）にはいくつかの規格があるが、ＤＶＤ−ＲＡＭやＤＶＤ−ＲＷにはビデオレコーディング（Video Recording）規格、すなわちＤＶＤ−ＶＲ規格が採用されている。ＤＶＤ−ＶＲ規格に準拠する映像の記録処理及び再生処理を行う機器の例を特許文献１、２に見ることができる。
【特許文献１】特開２００３−１０９３６０号公報（［００２８］−［００４２］、図１−６）
【特許文献２】特開２００２−８４４９８号公報（［００２６］−［０１０７］、図１−１３）
【発明の開示】
【発明が解決しようとする課題】
【０００３】
ＤＶＤやＨＤＤ（Hard Disk Drive）などのデジタル記録媒体を用いるデジタルレコーディングでは、映像データが記録媒体の空き領域に不連続に記録される。そのため、映像データのアドレス管理が重要な意味を持つ。そして録画中に書き込みエラーや停電といった事故があった場合、どのように復帰処理するかも重大な問題である。この点に関し、特許文献１、２では次のような対策を講じている。
【０００４】
特許文献１に記載された装置では、録画中、エンコーダで生成されるタイムマップ（ＴＭＡＰ）情報をハードディスクに別途保管する。そのため、ＨＤＤのフォーマット時に、ユニバーサルディスクフォーマット（ＵＤＦ）領域のすぐ次に、ＤＶＤ−ＲＡＭ停電対策ファイル用領域と、ＨＤＤ停電対策ファイル用領域を確保している。この方式は、ＨＤＤに特殊なフォーマットを施す必要がある。
【０００５】
特許文献２に記載された装置では、異常に停止されたビデオデータに対応する再生制御情報を生成し、その再生制御情報を記録媒体に記録する。この方式は、再生制御情報を記録するために記録媒体の記録領域の一部を割く必要がある。
【０００６】
本発明は、ＤＶＤ−ＶＲ規格に準拠する記録処理及び再生処理を行う映像記録再生装置において、ＤＶＤ−ＶＲ規格のデータ構造そのものを利用して停電からの復帰処理を可能とすること、及び停電前に録画された映像データをできるだけ多く救出し、削除対象となるデータ量を少なくすることを目的とする。
【課題を解決するための手段】
【０００７】
上記目的を達成するために、請求項１の発明は、ＤＶＤ−ＶＲ規格に準拠する記録処理及び再生処理を行うＤＶＤレコーダにおいて、録画時に停電に遭遇したときの対策として以下のステップを遂行することを特徴としている。
ａ．ＶＯＢＵ情報のＲＤＩ＿ＰＣＫの製造者固有情報書き込み領域に、ＶＯＢＵ＿ＥＮＴと、タイトルＩＤとを書き込むステップ
ｂ．ＶＯＢＵ＿ＥＮＴ及びＴＭ＿ＥＮＴを含む録画管理情報を所定時間間隔でバックアップ記録装置に記録するステップ
ｃ．停電後の復電時、前記バックアップされた録画管理情報より知り得るＶＯＢＵ情報の中で最後のものを特定してＶＯＢの「仮終端」とするステップ
ｄ．ストリームデータの中から、「ｃ．」の「仮終端」のＶＯＢＵ情報に連続する、それより新しいデータを、少なくともＲＤＩ＿ＰＣＫを含むデータ量だけ読み出すステップ
ｅ．「ｄ．」で読み出したデータの中にＲＤＩ＿ＰＣＫが存在するかどうかを調べるステップ
ｆ．「ｅ．」で存在を確認したＲＤＩ＿ＰＣＫの中のタイトルＩＤが停電時の録画タイトルＩＤと一致するかどうかを調べるステップ
ｇ．「ｆ．」でタイトルＩＤの一致をみた場合、ＲＤＩ＿ＰＣＫよりＶＯＢＵ＿ＥＮＴを取り出し、録画管理情報を更新するステップ
ｈ．「ｆ．」でタイトルＩＤの一致をみた場合、このＲＤＩ＿ＰＣＫを含むＶＯＢＵ情報が完全なサイズであるかどうかを調べるステップ
ｉ．「ｈ．」で完全なサイズと確認したＶＯＢＵ情報を終端とするように前記「仮終端」を更新するステップ
ｊ．「ｄ．」から「ｉ．」までのステップを、ＶＯＢＵ情報が完全な形をしていないために「ｅ．」以降のステップに進めなくなるまで繰り返すステップ。
【０００８】
この構成によると、停電などのため管理情報が不足することとなったＶＯＢＵ情報であっても、そのＶＯＢＵ情報自体の中からＶＯＢＵ＿ＥＮＴを取り出すことにより、管理情報を整備することができる。またＶＯＢＵ情報のデータフォーマットを利用してＶＯＢＵ＿ＥＮＴを書き込むので、特別な記録領域を用意する必要がない。さらに、上記のステップを踏んでＶＯＢＵ情報のチェックを行うことにより、停電などにより中途半端な形でデータが残ってしまったＶＯＢＵ情報を除き、完全な形で残っているＶＯＢＵ情報を全てストリームデータに加えることができる。
【０００９】
請求項２の発明は、ＤＶＤ−ＶＲ規格に準拠する記録処理及び再生処理を行うＤＶＤレコーダにおいて、ＶＯＢＵ情報のＲＤＩ＿ＰＣＫの製造者固有情報書き込み領域に、ＶＯＢＵ＿ＥＮＴと共にタイトルＩＤを書き込むことを特徴としている。
【００１０】
この構成によると、停電などのため管理情報が不足することとなったＶＯＢＵ情報であっても、そのＶＯＢＵ情報自体の中からＶＯＢＵ＿ＥＮＴを取り出すことにより、管理情報を整備することができる。またＶＯＢＵ情報のデータフォーマットを利用してＶＯＢＵ＿ＥＮＴを書き込むので、特別な記録領域を用意する必要がない。さらに、タイトルＩＤを取り出して確認することにより、そのＶＯＢＵ情報をストリームデータに加えることが可能になる。
【００１１】
請求項３の発明は、ＤＶＤ−ＶＲ規格に準拠する記録処理及び再生処理を行う映像記録再生装置において、録画時に停電に遭遇したときの対策として以下のステップを遂行することを特徴としている。
ａ．ＶＯＢＵ情報のＲＤＩ＿ＰＣＫの製造者固有情報書き込み領域に、ＶＯＢＵ＿ＥＮＴと、タイトルＩＤとを書き込むステップ
ｂ．ＶＯＢＵ＿ＥＮＴ及びＴＭ＿ＥＮＴを含む録画管理情報を所定時間間隔でバックアップ記録装置に記録するステップ
ｃ．停電後の復電時、前記バックアップされた録画管理情報より知り得るＶＯＢＵ情報の中で最後のものを特定してＶＯＢの「仮終端」とするステップ
ｄ．ストリームデータの中から、「ｃ．」の「仮終端」のＶＯＢＵ情報に連続する、それより新しいデータを、少なくともＲＤＩ＿ＰＣＫを含むデータ量だけ読み出すステップ
ｅ．「ｄ．」で読み出したデータの中にＲＤＩ＿ＰＣＫが存在するかどうかを調べるステップ
ｆ．「ｅ．」で存在を確認したＲＤＩ＿ＰＣＫの中のタイトルＩＤが停電時の録画タイトルＩＤと一致するかどうかを調べるステップ
ｇ．「ｆ．」でタイトルＩＤの一致をみた場合、ＲＤＩ＿ＰＣＫよりＶＯＢＵ＿ＥＮＴを取り出し、録画管理情報を更新するステップ
ｈ．「ｆ．」でタイトルＩＤの一致をみた場合、このＲＤＩ＿ＰＣＫを含むＶＯＢＵ情報が完全なサイズであるかどうかを調べるステップ
ｉ．「ｈ．」で完全なサイズと確認したＶＯＢＵ情報を終端とするように前記「仮終端」を更新するステップ
ｊ．「ｄ．」から「ｉ．」までのステップを、ＶＯＢＵ情報が完全な形をしていないために「ｅ．」以降のステップに進めなくなるまで繰り返すステップ。
【００１２】
この構成によると、停電などのため管理情報が不足することとなったＶＯＢＵ情報であっても、そのＶＯＢＵ情報自体の中からＶＯＢＵ＿ＥＮＴを取り出すことにより、管理情報を整備することができる。またＶＯＢＵ情報のデータフォーマットを利用してＶＯＢＵ＿ＥＮＴを書き込むので、特別な記録領域を用意する必要がない。さらに、上記のステップを踏んでＶＯＢＵ情報のチェックを行うことにより、停電などにより中途半端な形でデータが残ってしまったＶＯＢＵ情報を除き、完全な形で残っているＶＯＢＵ情報を全てストリームデータに加えることができる。
【００１３】
請求項４の発明は、ＤＶＤ−ＶＲ規格に準拠する記録処理及び再生処理を行う映像記録再生装置において、ＶＯＢＵ情報のＲＤＩ＿ＰＣＫの製造者固有情報書き込み領域にＶＯＢＵ＿ＥＮＴを書き込むことを特徴としている。
【００１４】
この構成によると、停電などのため管理情報が不足することとなったＶＯＢＵ情報であっても、そのＶＯＢＵ情報自体の中からＶＯＢＵ＿ＥＮＴを取り出すことにより、管理情報を整備することができる。またＶＯＢＵ情報のデータフォーマットを利用してＶＯＢＵ＿ＥＮＴを書き込むので、特別な記録領域を用意する必要がない。
【００１５】
請求項５の発明は、請求項４の映像記録再生装置において、ＶＯＢＵ情報のＲＤＩ＿ＰＣＫの製造者固有情報書き込み領域に、ＶＯＢＵ＿ＥＮＴと共にタイトルＩＤを書き込むことを特徴としている。
【００１６】
この構成によると、タイトルＩＤを取り出して確認することにより、そのＶＯＢＵ情報をストリームデータに加えることが可能になる。
【発明の効果】
【００１７】
以上のように本発明によれば、ＤＶＤ−ＶＲ規格に準拠する記録処理及び再生処理を行うにあたり、ＶＯＢＵ情報のＲＤＩ＿ＰＣＫの製造者固有情報書き込み領域に、ＶＯＢＵ＿ＥＮＴと、タイトルＩＤとを書き込むことにより、停電などのため管理情報が不足することとなったＶＯＢＵ情報であっても、そのＶＯＢＵ情報自体の中からＶＯＢＵ＿ＥＮＴを取り出して管理情報を整備することができる。さらに、タイトルＩＤを取り出して確認することにより、そのＶＯＢＵ情報をストリームデータに加えることができる。ＶＯＢＵ＿ＥＮＴとタイトルＩＤはＶＯＢＵ情報のデータフォーマットを利用して書き込むので特別な記録領域を用意する必要がない。また停電などにより中途半端な形でデータが残ってしまったＶＯＢＵ情報を除き、完全な形で残っているＶＯＢＵ情報を全てストリームデータに加えることができる。
【発明を実施するための最良の形態】
【００１８】
以下、添付図面を参照しつつ本発明の実施形態を説明する。図１はＤＶＤレコーダのブロック構成図、図２はＤＶＤ−ＶＲ規格のデータ構造説明図、図３は停電からの復帰処理の説明図、図４は録画作業のフローチャート、図５は停電からの復帰作業のフローチャートである。
【００１９】
ＤＶＤレコーダ１は、ディスクドライブ部１１、エンコード部１２、デコード部１３、キー操作入力部１４、ＯＳＤ表示部１５、及びバックアップ記録部１６を備え、これらを制御部１０が制御する構成になっている。制御部１０にはＲＯＭ１７とＲＡＭ１８が付属する。
【００２０】
ディスクドライブ部１１はＤＶＤへのデータ書き込みと、ＤＶＤからのデータ読み出しの機能を担う。エンコード部１２は入力されたフレームデータを符号化し、ストリーム形式のデータ（Video Object：ＶＯＢ）を生成する。デコード部１３はＶＯＢを構成するＶＯＢＵ（Video Object Unit）からフレームデータを復元する。キー操作入力部１４はＤＶＤレコーダ１を操作するためのキー群からなる。ＯＳＤ表示部１５は画面上にＯＳＤ（On Screen Display）を表示させる。バックアップ記録部１６はＨＤＤやフラッシュメモリなどにより構成される。
【００２１】
図２に見られるように、ＶＯＢは複数のＶＯＢＵからなる。各ＶＯＢＵの先頭にはＲＤＩ（Realtime Data Information）パック（ＲＤＩ＿ＰＣＫ）があり、それに続いてビデオパック（Ｖ＿ＰＣＫ）とオーディオパック（Ａ＿ＰＣＫ）が配置される。ＲＤＩ＿ＰＣＫのサイズは２ＫＢで、その中にはPack header、System header、sub_stream_idといったデータ領域に続いてRDI dataの領域があり、その中に製造者固有情報書き込み領域（ＭＮＦＩ）が存在する。ＭＮＦＩのサイズは１９７１バイトであり、サイズ３２バイトの製造者ＩＤ（ＭＮＦ＿ＩＤ）と、１９３６バイトの製造者固有情報（ＭＮＦ＿ＤＴ）が存在する。
【００２２】
録画管理情報（ビデオマネージャ：ＶＭＧ）には、ＶＯＢに関する情報であるビデオオブジェクト情報（ＶＯＢＩ）が含まれる。ＶＯＢＩの中で、動画に関するものはムービービデオオブジェクト情報（Ｍ＿ＶＯＢＩ）であり、その中にタイムマップ情報（ＴＭＡＰ）が記述されている。ＴＭＡＰは、Ｍ＿ＶＯＢＩに対応するＶＯＢを構成しているＶＯＢＵを指定する情報（ＶＯＢＵ＿ＥＮＴ）と、ＶＯＢ内のシークに用いるインデックス情報（ＴＭ＿ＥＮＴ）から成る。
【００２３】
録画管理情報はバックアップ記録部１６に保存されるものであり、録画中、一定時間毎に更新される。更新の周期はＶＯＢＵ生成時間より長い。そのため、録画中に停電に遭遇すると、録画管理情報がまだ保存されていないＶＯＢＵが生まれる。図３の例で言うと、ＶＯＢＵ＃１からＶＯＢＵ＃７までのＶＯＢＵがそれである。ＶＯＢＵ＃１の直前のＶＯＢＵは録画管理情報保存済みであり、これがＶＯＢの仮の終端ということになる。ここでＶＯＢＵ＃７は、まさにそれを録画している最中に停電が生じたためデータが不完全であり、使えない。しかしながらその前のＶＯＢＵ＃１〜ＶＯＢＵ＃６は、録画管理情報こそ保存されていなかったもののデータは完全であり、できることならばこれもストリームデータに追加したい。そこで本発明では図４、５のフローチャートに示す作業を行う。
【００２４】
図４において、ステップ＃１０１で録画を開始し、ステップ＃１０２では録画管理情報のバックアップを行う。ステップ＃１０３ではＭＮＦＩ情報の書き込みを行う。ＭＮＦ＿ＩＤには、一例として、「ＦＵＮＡＩ＿ＰＶＲ」という製造者ＩＤを書き込む。ＭＮＦ＿ＤＴにはＶＯＢＵ＿ＥＮＴとタイトルＩＤを書き込む。ＶＯＢＵ＿ＥＮＴはＶＯＢＵ毎に異なる固有情報である。タイトルＩＤは４バイトの乱数で、一つのＶＯＢの中では共通である。ステップ＃１０４では時間の経過を調べ、一定時間（例えば２分間）が経過したらステップ＃１０５に進んで録画管理情報のバックアップを行う。一定時間が経過するまではステップ＃１０３に戻り、ＭＮＦＩ情報の書き込みを繰り返す。
【００２５】
停電があったときは図５のように復帰処理を行う。復電により、ステップ＃１１１で復帰処理が開始される。ステップ＃１１２ではバックアップ記録部１６に保存してあった録画管理情報からＶＯＢの仮終端を調べる。ステップ＃１１３では仮終端に連続する、それよりも新しい録画データから２ＫＢ分のデータを読み出す。２ＫＢというのはＲＤＩ＿ＰＣＫのデータ量にぴったり一致する数値である。ステップ＃１１４では読み出した２ＫＢのデータがＲＤＩ＿ＰＣＫであるかどうかを調べる。もしもＲＤＩ＿ＰＣＫでなければ、そこにＶＯＢＵが存在しないということなので、＃１２０に進む。ＲＤＩ＿ＰＣＫと判定したらステップ＃１１５に進む。
【００２６】
ステップ＃１１５ではＭＮＦ＿ＩＤが「ＦＵＮＡＩ＿ＰＶＲ」であるかどうかを調べる。
「ＦＵＮＡＩ＿ＰＶＲ」でなかったとしたら、これはストリームデータに追加すべきデータではないということなのでステップ＃１２０に進む。「ＦＵＮＡＩ＿ＰＶＲ」であったときはステップ＃１１６に進む。
【００２７】
ステップ＃１１６ではＭＮＦ＿ＤＴの中のタイトルＩＤが停電時の録画タイトルＩＤと一致するかどうかを調べる。タイトルＩＤが一致しなかったら、これはストリームデータに追加すべきデータではないということなのでステップ＃１２０に進む。一致したらステップ＃１１７に進む。
【００２８】
ステップ＃１１７ではこのＶＯＢＵのサイズが完全なものであるかどうかを調べる。完全なサイズであればステップ＃１１８に進む。図３のＶＯＢＵ＃７のように不完全なサイズであればステップ＃１２０に進む。
【００２９】
ステップ＃１１８ではＭＮＦＩ＿ＤＴからＶＯＢＵ＿ＥＮＴを取得し、録画管理情報を更新する。そしてステップ＃１１９に進む。
【００３０】
ステップ＃１１９ではＶＯＢの仮終端を更新する。図３の例で言えばＶＯＢＵ＃１の終わりの位置にＶＯＢの仮終端が移ることになる。以後、ステップ＃１１３からステップ＃１１９までのステップを繰り返す。ＶＯＢの仮終端はＶＯＢＵ＃２、ＶＯＢＵ＃３、…と順次移って行く。
【００３１】
ＶＯＢＵ＃７の番になると、これは前述の通り停電のため不完全な形で終わったＶＯＢＵなので、ステップ＃１１４からステップ＃１１７までのいずれかのステップで条件を満たさなくなる。この場合はステップ＃１２０に進む。
【００３２】
ステップ＃１２０では不完全ＶＯＢＵ、すなわちＶＯＢＵ＃７を削除する。次いでステップ＃１２１に進み、ストリームデータに残ったＶＯＢＵの数を確定する。そしてステップ＃１２２に進み、復帰処理を終了する。
【００３３】
以上本発明の実施形態につき説明したが、発明の主旨を逸脱しない範囲でさらに種々の変更を加えて実施することができる。
【産業上の利用可能性】
【００３４】
本発明は、ＤＶＤ−ＶＲ規格に準拠する記録処理及び再生処理を行う映像記録再生装置全般に利用可能である。
【図面の簡単な説明】
【００３５】
【図１】ＤＶＤレコーダのブロック構成図
【図２】ＤＶＤ−ＶＲ規格のデータ構造説明図
【図３】停電からの復帰処理の説明図
【図４】録画作業のフローチャート
【図５】停電からの復帰作業のフローチャート
【符号の説明】
【００３６】
１    ＤＶＤレコーダ
１０  制御部
１１  ディスクドライブ部
１２  エンコード部
１３  デコード部
１４  キー操作入力部
１５  ＯＳＤ表示部
１６  バックアップ記録部
【図１】
2007208493.tif 000003
【図２】
2007208493.tif 000004
【図３】
2007208493.tif 000005
【図４】
2007208493.tif 000006
【図５】
2007208493.tif 000007